(57)【要約】【課題】トイレや洗面台などの空間を有効に利用するため、所望のスプレーボトルなどのプラスチック容器をしっかりと壁面に固定することができるようにする。【解決手段】ボトルホルダーはボトルホルダー本体１で構成されている。ボトルホルダー本体１は互いに直行する取付部５と容器支持部６からなり、Ｌ字状の横断面を有している。取付部５には穴部７が空けられており、この穴部にプラスチック製容器３を差込み、吐出口付キャップ２によって螺着することにより、容器支持部５に吐出口付き容器４を固定できる。また、取付部５の壁面に接する面に粘着性および接着性部材もしくはビスなどを使用し、ボトルホルダー本体１をしっかりと壁面に固定することができる。【選択図】図１
0003131564.tif 000002
【実用新案登録請求の範囲】
【請求項１】
取付対象壁面に当接しうる取付部と、該取付部と垂直方向に延設された容器支持部とからなり、該容器支持部に容器の首部を挿入できるように容器のキャップの外径より小さい径の穴が形成されているボトルホルダー。
【考案の詳細な説明】
【技術分野】
【０００１】本考案はボトルホルダーに関する。さらに詳しくは、スプレーボトルやドロップボトルなど液体吐出簡易ポンプが含まれるキャップ、もしくは螺着式に限らないキャップを有するプラスチック製容器のホルダーに関する。
【背景技術】
【０００２】通常、化粧水などの液体化粧用品などの液体を吐出する場合、吐出可能な簡易なポンプが内蔵されたキャップが螺着されている円筒形状のプラスチック容器に液体を収納する。円筒形状のプラスチック容器はくびれた上端（以下、首部という）に開口部を有し、前記開口部には吐出口を有するキャップや簡易なポンプが内蔵されたキャップが螺着されている。これらのキャップを以下、吐出口付キャップという。一般的に首部の外径は前記容器の内容量に関わらずφ２４ｍｍ前後で作成されている。
【考案の開示】
【考案が解決しようとする課題】
【０００３】トイレの部屋などは狭い空間なので、棚などが無い場合が多く、所望の容器を置くことができない問題があった。【０００４】従来、容器を壁面に保持する場合、カップ状のドリンクホルダーに該容器を入れ保持する方法や、壁面に小さな棚面を取り付けて該容器を置くなどの方法がある。しかし、これらの方法では容器の転倒あるいは落下しやすく、容器の汚損あるいは容器の内容物による床面などの汚損を招く。【０００５】また、該容器をドリンクホルダーや棚面に置いて保持してある場合、棚面などに置いたままスプレーヘッドのポンプ部分を指で押すことは非常に困難であり、転倒あるいは落下しやすい。【０００６】本考案は前述のような問題を解決するためになされたものであり、プラスチック製容器を容易にかつ確実に取り付けることを可能にしたボトルホルダーと提供することを目的とする。
【課題を解決するための手段】
【０００７】本考案のボトルホルダーは取付対象壁面に当接しうる取付部と、該取付部と垂直方向に延説された容器支持部からなり、該容器支持部の一部には容器の首部が挿入されるように穴が開けられている形状を特徴としている。【０００８】ボトルホルダーは金属板をＬ字状断面を呈するように屈曲させて形成することができる。また、強度が十分である場合、プラスチックによる成型でも形成することができる。
【考案の効果】
【０００９】本考案において、プラスチック容器の首部の付け根部をボトルホルダーの係止部たる穴部に挿入することにより、容器の肩とキャップとで穴部の周縁を挟持するので、簡単に容器を着脱、保持固定することができる。その結果、容器の転倒が防止され、壁面に保持されている状態、すなわち、ボトルを手に取らない状態のまま、指でスプレーヘッドのポンプ部を押すことができる。【００１０】また、穴に首部を挿入し保持しているため、ボトルへのキャップの締め付けが十分でない場合、穴部より大径のキャップが穴部の周縁に引っかかり、容器の脱落を防ぐことができる。
【実施例】
【００１１】図１は本考案のボトルホルダーの一実施例を示す斜視図、図２は本考案のボトルホルダー本体の斜視図、図３は首部説明のためのプラスチック製容器の正面図、図４は本考案のボトルホルダーの組み立て方の一実施例を示す斜視図、図５と図６は本考案のボトルホルダーの他の実施例を示す斜視図である。【００１２】図１において１はボトルホルダー本体であり、ボトルホルダー本体１に吐出口付キャップ２とプラスチック製容器３が組み立てられているものである。【００１３】図２に示すように、ボトルホルダー本体１は取付部６と取付部６に直行して設けられた容器支持部５とからなりＬ字状断面を呈している。容器支持部５にはプラスチック製容器３の先端を挿入するための挿入穴７が形成されている。【００１４】図３に示すように、ボトルホルダー本体１に取り付ける所望の吐出口付き容器４は吐出口付キャップと２プラスチック製容器３からなり、吐出口付キャップ２がプラスチック製容器３に螺着されている。通常、螺着したときに吐出口付キャップ２とプラスチック製容器３との間に環状の凹みができる。該凹みを首部８という。【００１５】かかるボトルホルダー本体１にプラスチック製容器３を取り付ける場合、挿入穴７にプラスチック製容器３の先端を挿し込み、吐出口付キャップ２を螺着する。螺着することでボトルホルダー本体１の挿入穴７の周囲をプラスチック製容器３と吐出口付キャップ２が挟圧し固定される。【００１６】また、プラスチック製容器３と吐出口付キャップ２との螺着が十分でない場合、挿入穴７の周囲の挟圧が弱くなり、吐出口付き容器４について、吐出口付キャップ２を締める回転方向あるいは逆方向に吐出口付キャップ２とプラスチック製容器３が同方向へ回転するようになるので吐出口付キャップ２とプラスチック製容器３との螺着が緩みにくくなり保持し続ける。【００１７】そして、挿入穴７の穴径は吐出口付キャップ２より小さいことにより、螺着による挟圧が十分でない場合、吐出口付キャップ２が挿入穴７に引っかかり、吐出口付キャップ２が穴を通り抜けることは無いので、所望の吐出口付き容器４の脱落を防ぐことができる。【００１８】本考案のボトルホルダーは、ボトルホルダー本体１と吐出口付き容器４を図４のようにも組み合わせ使用することができる。【００１９】ボトルホルダー本体１を使用する際は、取付部６が取付対象壁面にしっかり固定されていなければならない。取付対象壁面への固定の方法はさまざまな方法があるので、比較的用いられやすい例を挙げる。一例として図５に示すようにビス穴固定型本体９の取付部１１にビス穴１０を複数個所形成し、取付対象壁面へビスでビス穴固定型本体９を固定する方法。その他の一例として、図６に示すように粘着性および接着性部材固定型本体１２の取付部１４の取付対象壁面に接する面に粘着性および接着性部材１３を使用し固定する方法など。このほかの方法でも、取付対象壁面へボトルホルダー本体をしっかり固定できるのであれば手段は問わない。【００２０】なお、ボトルホルダー本体１の素材としては、アルミやステンレス鋼などが好ましい。強度や耐久性が十分であれば様々な金属やプラスチックなどを用いても構わない。
【図面の簡単な説明】
【００２１】
【図１】本考案のボトルホルダーの一実施例を示した斜視図である。
【図２】本考案のボトルホルダー本体を示した斜視図である。
【図３】首部説明のための所望の吐出口付き容器の正面図である。
【図４】本考案のボトルホルダーの組み立て方の一実施例を示した斜視図である。
【図５】本考案のボトルホルダー本体の他の一実施例を示した斜視図である。
【図６】本考案のボトルホルダー本体の他の一実施例を示した斜視図である。
【符号の説明】
【００２２】１    ボトルホルダー本体
２    吐出口付キャップ
３    プラスチック製容器
４    吐出口付き容器
５    容器支持部
６    取付部
７    挿入穴
８    首部
９    ビス穴固定型本体
１０  ビス穴
１１  取付部
１２  粘着性および接着性部材固定型本体
１３  粘着性および接着性部材
１４  取付部
【図１】
0003131564.tif 000003
【図２】
0003131564.tif 000004
【図３】
0003131564.tif 000005
【図４】
0003131564.tif 000006
【図５】
0003131564.tif 000007
【図６】
0003131564.tif 000008